(57)【特許請求の範囲】
【請求項１】
平面視前側が内方へ向け相対向回転する左右一対の刈取軸（２）に刈刃（１）を設け、該左右の刈刃（１）の上方に、刈取デッキ（３）の下側面に接近し、刈取軸（２）と一体回転する掻出板（５）を設け、該掻出板（５）は、刈刃（１）の回転径と略同径の円形状に形成し、その下面には掻出リブ（４）を形成するとともに、左右の掻出板（５）の回転外周縁を刈取デッキ（３）の中央部で対向接近して回転するよう構成したことを特徴とする草刈機。
【発明の詳細な説明】
【技術分野】
【０００１】
この発明は、刈取デッキ内の刈取られる芝草の排出を円滑に行わせる草刈機に関する。
【背景技術】
【０００２】
左右一対の刈取軸を軸装する刈取デッキの後側を開放して、刈取られた芝草を直後方へ排出させる技術（例えば、特許文献１参照）が知られている。
【特許文献１】特開２００７−６０９６０号公報
【発明の開示】
【発明が解決しようとする課題】
【０００３】
刈取デッキの下面中央部で、左右一対の刈取軸間にあっては、刈取られた芝草の一部が停滞して、後方等の排出口部への放出性が悪く、詰り易く、刈取性能を低下させ易い。
【課題を解決するための手段】
【０００４】
請求項１に記載の発明は、平面視前側が内方へ向け相対向回転する左右一対の刈取軸２に刈刃１を設け、該左右の刈刃１の上方に、刈取デッキ３の下側面に接近し、刈取軸２と一体回転する掻出板５を設け、該掻出板５は、刈刃１の回転径と略同径の円形状に形成し、その下面には掻出リブ４を形成するとともに、左右の掻出板５の回転外周縁を刈取デッキ３の中央部で対向接近して回転するよう構成したことを特徴とする草刈機とする。刈刃１の回転によって刈取られる芝草は刈取デッキ３の下側部を後方等の排出口部へ向けて放出されるが、この刈取デッキ３の下側面に接近する芝草は、刈刃１と一体回転の掻出板５の掻出リブ４によって、下側へ離すようにして掻出される。そして、刈取芝草が刈取デッキ３の天井部に停滞しようとするのを防止する。
【０００５】
【発明の効果】
【０００６】
請求項１に記載の発明は、刈刃１と一体回転の掻出板５の回転によって、刈取デッキ３の下側面に付着停滞しようとする芝草を、この下方へ離すように掻出して放出させ、芝草刈取の詰りをなくし、円滑な排出作用を行わせて、刈取性能を高めることができる。又、掻出板５は掻出リブ４を形成するも比較的薄い形態に構成されるため、刈取デッキ３の下面に接近させて構成しても、下側の刈刃１との間の高さ間隔を十分に維持することができ、刈取デッキ３の高さを低く維持して刈取性能を高く維持することができる。
【０００７】
【発明を実施するための最良の形態】
【０００８】
図例に基づいて、車体９後方の車輪７を有して後部に搭載のエンジン８により駆動して走行できる車体９の前側に刈取デッキ３を装着する。車体９にはエンジン８から伝動される出力プーリ１０を設け、この出力プーリ１０と刈取デッキ３上の入力プーリ１１との間にベルト１２を掛け渡して、この刈取デッキ３に軸装の刈取軸２を回転伝動することができる。この刈取デッキ３の前方中央部には、支持アーム１３を突出させて、前端部に回転自在の支持輪１４を設ける。又、車体９の後方上部にハンドル１５を設け、このハンドル１５の基部をハンドルブラケット１６に対して、上下に回動可能で、左右一定回動域に回動可能に取付けている。
【０００９】
ここにおいて、平面視前側が内方へ向け相対向回転する左右一対の刈取軸２に刈刃１を設け、該左右の刈刃１の上方に、刈取デッキ３の下側面に接近し、刈取軸２と一体回転する掻出板５を設け、該掻出板５は、刈刃１の回転径と略同径の円形状に形成し、その下面には掻出リブ４を形成するとともに、左右の掻出板５の回転外周縁を刈取デッキ３の中央部で対向接近して回転するよう構成したことを特徴とする草刈機とする。刈刃１の回転によって刈取られる芝草は刈取デッキ３の下側部を後方等の排出口部へ向けて放出されるが、この刈取デッキ３の下側面に接近する芝草は、刈刃１と一体回転の掻出板５の掻出リブ４によって、下側へ離すようにして掻出される。そして、刈取芝草が刈取デッキ３の天井部に停滞しようとするのを防止する。
【００１０】
又、前記掻出板５とこの下側の刈刃１との間に、刈取軸２の外周部を囲繞する大径の巻付防止筒６を設けてある。刈刃１によって刈取られる芝草は、一部刈取デッキ３の下側面部に付着、停滞しようとすると、掻出板５の掻出リブ４によって、下方等へ掻き出されて、円滑な芝草放出作用が行われる。このとき一部の芝草が刈取軸２周りに付き回りしようとすると、大径の巻付防止筒６の回転によって、この巻付が阻止される。しかも、この巻付防止筒６によって巻付くことができない芝草は、上側天井部の掻出板５の掻出リブ４の作用を受けて下方等へ掻出されるため、この刈取デッキ３天井面への付着停滞を防止する。
【００１１】
前記刈取デッキ３は、左右一対の刈取軸２を軸装して、相対向する側に回転するように上側の伝動ケース１７内のベルト１２によって伝動回転させる。各刈取軸２の下端部と、これより適宜間隔高い中段部とに、回転位相を変えて刈刃１を配置している。前記掻出板５は、これら下方の刈刃１の回転径と略同径の円形状に形成し、この外周部には下側面に突出の排出リブ４を形成する。この掻出板５は、刈取軸２の上端部に取付けて、刈刃２と一体回転するもので、回転面を刈取デッキ３の下側面に接近させている。又、これた左右刈取軸２に取付けた掻出板５の回転外周縁は、刈取デッキ３の中央部で対向接近して回転する構成としている。
【００１２】
これら左右両側の刈取軸２の外周部には、適宜大径の巻付防止筒６，１８を設けて、刈取軸２や、刈刃１、及び掻出板５等を一体回転させる。巻付防止筒６は、中段部の刈刃１と上端部の掻出板５との間の間隔部に設けられ、下部の巻付防止筒１８は、下端部と中段部の刈刃１間隔部に設けられて、各々刈取られた芝草等が取付軸２周りに巻付くのを阻止するものである。
前記刈取デッキ３の前側面は開放して芝草を案内する案内口２０を形成し、この前側中央部に案内杆１９を設ける。又、刈取デッキ３の後方に刈取芝草排出の排出口２１を形成して、後側の左右車輪７間に排出することができる。
【００１３】
車体９を前進させながら刈刃軸２の回転によって芝草の刈取を行う。左右両側の刈刃１によって刈取られる芝草は、中央部から後方の排出口２１へ向けて排出される。この刈取中に刈取デッキ３の下側面にそって浮上される芝草は、この刈取デッキ３の下側面に接近して回転する掻出板５に受けられて、刈取デッキ３の下側面との間への芝草の浸入を阻止して、掻出リブ４によって掻落される。このため、掻出板５の下側面に沿って停滞しようとする芝草を掻き出して、後方の排出口２１へ排出させる。又、この下側の刈取軸２の回転外周部には巻付防止筒６が回転して、芝草の刈取軸２上部への巻付を阻止すると共に、この巻付防止筒６から外れて上側の掻出板５の回転域へ浮上される芝草が、この掻出板５の回転の回転によって掻落し、乃至放出されて、刈取芝草の排出を速やかに行うことができる。このため、刈取能率を上げて、刈取デッキ３の案内口２０から多量の芝草を案内させても、刈取られた芝草の刈取デッキ３の裏面での停滞、詰り等を少なくすることができ、刈取性能を高めることができる。
【００１４】
このように掻出リブ４は掻出板５の下側面に突出形成されるため、付着しようとする芝草を下方へ押し下げるようにして飛散させるものであるから、この掻出板５の回転と共に、芝草が刈取デッキ３の下側面に対する付着停滞を阻止する。又、図例の掻出リブ４は掻出板５を押出成形したものであるが、この掻出リブ４に代えて、短い丸棒材や、板材片等を掻出板５の下側面に固着する構成とすることもできる。又、掻出板５は掻出リブ４を形成するも比較的薄い形態に構成されるため、刈取デッキ３の下側面に接近させて構成しても、下側の刈刃１との間の高さ間隔を十分に維持することができ、刈取デッキ３の高さを低く維持して刈取性能を高く維持することができる。
【図面の簡単な説明】
【００１５】
【図１】刈取デッキ部の平面図と、正面図。
【図２】草刈機の平面図。
【図３】草刈機の側面図。
【００１６】
１    刈刃
２    刈取軸
３    刈取デッキ
４    掻出リブ
５    掻出板
６    巻付防止筒
【図１】
0005240425.tif 000002
【図２】
0005240425.tif 000003
【図３】
0005240425.tif 000004